(57)【要約】【課題】  外光が入射しても、カラーバランスの良い高画質な表示ができる有機ＥＬ装置および電子機器を提供する。【解決手段】  一対の電極間に配置された発光層１３と、表示面に配置された円偏光板３０とを少なくとも備えた有機ＥＬ装置１００であって、円偏光板３０の反射分光特性は、発光層１３が外光によって発光したときのその発光の分光特性に基づいて設定されていることを特徴とする。【選択図】    図１
2006294448.tif 000002
【特許請求の範囲】
【請求項１】
一対の電極間に配置された発光層と、表示面に配置された円偏光板とを少なくとも備えた有機ＥＬ装置であって、
前記円偏光板の反射分光特性は、前記発光層が外光によって発光したときの該発光の分光特性に基づいて、設定されていることを特徴とする有機ＥＬ装置。
【請求項２】
一対の電極間に配置された発光層と、表示面に配置された円偏光板とを少なくとも備えた有機ＥＬ装置であって、
前記円偏光板は、太陽光が該円偏光板を透過してなる該透過光によって前記発光層が発光したときの該発光の色度に対して、補色の関係となる色度の反射分光特性を有することを特徴とする有機ＥＬ装置。
【請求項３】
前記円偏光板の反射分光特性のピーク波長は、前記発光のピーク波長よりも短いことを特徴とする請求項１又は２に記載の有機ＥＬ装置。
【請求項４】
前記円偏光板は、太陽光に対する反射光が青色であることを特徴とする請求項１から３のいずれか一項に記載の有機ＥＬ装置。
【請求項５】
前記円偏光板の反射分光特性のピーク波長をλＡ［ｎｍ］として、前記発光層が外光によって発光したときにおける該発光の分光特性のピーク波長をλＢ［ｎｍ］とすると、
λＡは、（５５０×２−λＢ）±５０［ｎｍ］の範囲内にあることを特徴とする請求項１から４のいずれか一項に記載の有機ＥＬ装置。
【請求項６】
前記円偏光板は、紫外線を透過させない機能を有するものであることを特徴とする請求項１から５のいずれか一項に記載の有機ＥＬ装置。
【請求項７】
前記円偏光板は、偏光板と、位相差板とで構成されていることを特徴とする請求項１から６のいずれか一項に記載の有機ＥＬ装置。
【請求項８】
前記発光層は、一対の電極の間に配置されており、
前記一対の電極における表示面側の電極は透明であり、他方の電極は反射率が高いものであり、
前記発光層は、前記一対の電極によって電流が該発光層に供給されることにより、赤色を発光する赤発光層と、緑色を発光する緑発光層と、青色を発光する青発光層とを有してなることを特徴とする請求項１から７のいずれか一項に記載の有機ＥＬ装置。
【請求項９】
請求項１から８のいずれか一項に記載の有機ＥＬ装置を備えたことを特徴とする電子機器。
【発明の詳細な説明】
【技術分野】
【０００１】
本発明は、有機ＥＬ装置および電子機器に関するものである。
【背景技術】
【０００２】
次世代の表示装置として、有機エレクトロルミネッセンス装置（有機ＥＬ装置）が期待されている。有機ＥＬ装置は、上下の電極間に発光層を挟持した有機ＥＬ素子を基体上に配設して構成されており、典型的には、ガラス等の透光性基板の上に、陽極と、有機機能層（正孔輸送層や発光層、電子輸送層等）と、陰極とを順次積層した構造が採られる。そして、陽極および陰極によって有機機能層に電流を供給することにより、有機機能層の発光層を発光させるようになっている。
【０００３】
有機ＥＬ装置は、主に陰極側から光を取り出すトップエミッション方式と、陽極側から光を取り出すボトムエミッション方式に分類される。そのうち、ボトムエミッション方式の有機ＥＬ装置は、一般に陽極がＩＴＯ等の透明導電性材料で形成され、陰極がＡｌ等の金属材料で形成されている。そして、発光層からの光を陰極で反射させるとともに、陽極から出射させて画像表示を行う構成となっている。
【０００４】
ボトムエミッション方式の有機ＥＬ装置において、太陽光などの外光が陽極から入射すると、その外光が陰極で反射するため表示が視認しにくくなる。この問題を解決するため有機ＥＬ装置におけるガラス基板の外側に、円偏光板を配置する技術が提案されている（例えば、特許文献１ないし４参照）。円偏光板は、陽極側から位相差フィルムおよび偏光フィルムを順に積層して構成されている。この円偏光板に入射した外光は、まず偏光フィルムの透過軸に沿った直線偏光に変換され、さらに位相差フィルムにより円偏光に変換される。その円偏光が、陽極から有機ＥＬ素子に入射し、陰極において反射されると、回転方向の反転した円偏光に変換される。その円偏光は、位相差フィルムを再透過する際に、偏光フィルムの透過軸と直交する直線偏光に変換されるので、偏光フィルムによって吸収される。このように、円偏光板により外光を吸収して、有機ＥＬ装置の表示の見易さを確保している。
【特許文献１】特開平８−３２１３８１号公報
【特許文献２】特開平９−１２７８８５号公報
【特許文献３】特開２００１−７６８６５号公報
【特許文献４】特開２００２−３１１２３９号公報
【発明の開示】
【発明が解決しようとする課題】
【０００５】
しかしながら、有機ＥＬ装置に太陽光などの外光が入射すると、有機ＥＬ装置の内部で反射が生じるばかりでなく、その入射した光によって発光層が特定色の光を発光してしまうという問題点もある。例えば、太陽光における円偏光板を透過した青色光が赤系の発光材料の発光層に入射すると、その発光層がホトルミネッセンス（ＰＬ）効果により励起されて赤を発光してしまう場合がある。したがって、有機ＥＬ装置に太陽光などが入射すると、黒表示部（非表示部）が赤黒く表示されてしまいカラー画像の表示品質を低下させてしまう場合がある。
【０００６】
本発明は、上記事情に鑑みてなされたもので、外光が入射しても、カラーバランスの良い高画質な表示ができる有機ＥＬ装置および電子機器の提供を目的とする。
また、本発明は、外光による表示光の着色を緩和することができ、室外などで使用されても、従来よりもカラーバランスがとれた高画質な表示ができる有機ＥＬ装置および電子機器の提供を目的とする。
【課題を解決するための手段】
【０００７】
上記目的を達成するために、本発明の有機ＥＬ装置は、一対の電極間に配置された発光層と、表示面に配置された円偏光板とを少なくとも備えた有機ＥＬ装置であって、前記円偏光板の反射分光特性は、前記発光層が外光によって発光したときの該発光の分光特性に基づいて設定されていることを特徴とする。
本発明の有機ＥＬ装置によれば、発光層が外光によって発光したときのその着色発光を円偏光板の反射光によって緩和することができる。例えば、発光層が外光によって励起されて、赤色の光を出射する場合、円偏光板の反射光が青色であれば、その赤色と青色とが合成されることで灰色の表示にすることができる。そこで、室外などで有機ＥＬ装置を使用した場合でも、表示領域における非発光部位が赤色などを発色することを回避することができる。したがって、本発明は、室外などで使用されても、カラーバランスの良い高画質な表示ができる有機ＥＬ装置を提供することができる。
【０００８】
上記目的を達成するために、本発明の有機ＥＬ装置は、一対の電極間に配置された発光層と、表示面に配置された円偏光板とを少なくとも備えた有機ＥＬ装置であって、前記円偏光板は、太陽光が該円偏光板を透過してなる該透過光によって前記発光層が発光したときの該発光の色度に対して、補色の関係となる色度の反射分光特性を有することを特徴とする。
本発明の有機ＥＬ装置によれば、太陽光（白色光）が円偏光板を透過し、その透過光によって発光層が励起されてある色が発光した場合、その発光の色を円偏光板の反射光によって打ち消すことができる。例えば、円偏光板の透過光が青色である場合、赤色の発光層がホトルミネッセンス（ＰＬ）効果により励起されて赤色光を発光する場合がある。この場合、円偏光板の反射光は、赤の補色である青である。したがって、発光層から発光と円偏光板の反射光とが合成されて灰色が表示される。そこで、本発明は、太陽光などの白色光が表示画面に入射する環境下で使用されても、カラーバランスの良い高画質な表示ができる有機ＥＬ装置を提供することができる。
【０００９】
また、本発明の有機ＥＬ装置は、前記円偏光板の反射分光特性のピーク波長が前記発光のピーク波長よりも短いことが好ましい。
また、本発明の有機ＥＬ装置は、前記円偏光板が太陽光（白色光）に対する反射光が青色であることが好ましい。
本発明によれば、例えば外光による発光層から発光のピーク波長が赤の波長である場合、円偏光板の反射光のピーク波長が赤より短い青（赤の補色である青）の波長となる。これにより、本発明は、カラーバランスの良い表示ができる有機ＥＬ装置を簡便に提供することができる。
【００１０】
また、本発明の有機ＥＬ装置は、前記円偏光板の反射分光特性のピーク波長をλＡ［ｎｍ］として、前記発光層が外光によって発光したときにおける該発光の分光特性のピーク波長をλＢ［ｎｍ］とすると、λＡは、（５５０×２−λＢ）±５０［ｎｍ］の範囲内にあることが好ましい。
本発明によれば、人間の視覚感度における最大波長である５５０ｎｍを中心として、円偏光板の反射分光特性のピーク波長λＡと、外光による発光のピーク波長λＢとを対象関係にすることができる。そこで、本発明は、円偏光板の反射光の色と外光による発光の色とをより正確にかつ簡便に補色の関係にすることができる。
【００１１】
また、本発明の有機ＥＬ装置は、前記円偏光板が紫外線を透過させない機能を有するものであることが好ましい。
本発明によれば、円偏光板の紫外線カット機能によって発光層に特定波長域の光が入射して、その発光層で特定の色が発光する場合が生じる。このような場合でも、本発明は、かかる特定の色を円偏光板の反射光で緩和させることができる。そこで、本発明は、カラーバランスの良い表示ができる有機ＥＬ装置を簡便に提供することができる。
【００１２】
また、本発明の有機ＥＬ装置は、前記円偏光板が偏光板と位相差板とで構成されていることが好ましい。
本発明によれば、円偏光板に入射した外光を偏光板によって直線偏光に変換することができる。その直線偏光は位相差板（λ／４板）によって円偏光に変換することができる。この円偏光は、有機ＥＬ装置の陰極で反射されると、回転方向の反転した円偏光に変換される。その反射光（円偏光）は再び位相差板を透過する際に直線偏光に変換されるが、この直線偏光は偏光板の透過軸に直交する直線偏光となっているのでその偏光板を全く透過できない。したがって、上記円偏光板によれば、有機ＥＬ装置内に入射した外光によって生じた反射光が有機ＥＬ装置外に出ることを防止することができる。また、有機ＥＬ装置内に入射した外光によって生じた発光の色については、円偏光板の反射光によって打ち消すことができる。これらにより、本発明は、室外などで使用されても、カラーバランスの良い高画質な表示ができる有機ＥＬ装置を提供することができる。
【００１３】
また、本発明の有機ＥＬ装置は、前記発光層が一対の電極の間に配置されており、前記一対の電極における表示面側の電極は透明であり、他方の電極は反射率が高いものであり、前記発光層は、前記一対の電極によって電流が該発光層に供給されることにより、赤色を発光する赤発光層と、緑色を発光する緑発光層と、青色を発光する青発光層とを有してなることが好ましい。
本発明によれば、例えば外光が円偏光板を透過してその透過光により赤発光層が励起され赤の発光があった場合、円偏光板の反射光（青）によって赤の発光色を打ち消すことができる。そこで、本発明は、室外などで使用されても、カラーバランスの良い高画質な表示ができる有機ＥＬ装置を提供することができる。
【００１４】
上記目的を達成するために、本発明の電子機器は、前記有機ＥＬ装置を備えたことを特徴とする。
本発明の電子機器によれば、室外などで使用されても、カラーバランスがとれた高画質の表示をすることができる。
【発明を実施するための最良の形態】
【００１５】
以下、本発明の実施の形態について図面を参照して説明する。なお、以下で参照する各図面においては、図面を見易くするために、各構成要素の寸法等を適宜変更して表示している。
【００１６】
（第１実施形態）
図１は、本発明の第１実施形態に係る有機ＥＬ装置の断面構成図である。本実施形態の有機ＥＬ装置１００は、図１に示すように、有機ＥＬ素子１１０の出力光を陽極１１側から取り出すボトムエミッション方式の有機ＥＬ装置である。
【００１７】
（有機ＥＬ装置の基本構成）
有機ＥＬ装置１００は、基板１０の上面に、有機ＥＬ素子１１０を配設してなる構成を備えている。有機ＥＬ素子１１０は、ガラス基板１０の一方面（図１の上面）側に、ＩＴＯ（インジウム錫酸化物）等の透明導電膜からなる陽極１１と、正孔輸送層１２と、発光層１３と、電子輸送層１４と、Ａｌ等の光反射性の金属膜からなる陰極２１とを順に積層した構成となっている。なお、正孔輸送層１２、発光層１３および電子輸送層１４は、有機機能材料からなる有機機能層１５を形成している。また、後に詳述するように、ガラス基板１０の他方面（図１の下面）側には、位相差フィルム（位相差板）３１および偏光フィルム（偏光板）３２が順に積層されて、円偏光板３０が構成されている。
【００１８】
陽極１１には、典型的には上記ＩＴＯが用いられるが、これに限らず、公知の透光性導電材料を用いることができる。
また、陰極２１には、良好な光反射性を具備したＡｌ（アルミニウム）を好適に用いることができる。この場合、陰極２１は、発光層１３で生じた光を陽極１１側へ反射する機能を有するものとなる。なお、Ａｌの他にも、Ａｕ（金）、Ａｇ（銀）、Ｃｒ（クロム）、Ｃｕ（銅）、Ｎｉ（ニッケル）、Ｃａ、Ｍｇ（マグネシウム）、Ｓｒ、Ｙｂ（イッテルビウム）、Ｅｒ（エルビウム）、Ｔｂ（テルビウム）、Ｓｍ（サマリウム）等の金属材料、およびこれらから選択される金属材料の薄膜を複数積層した構造とすることもできる。
【００１９】
発光層１３を構成し得る発光材料としては、蛍光あるいは燐光を発光することが可能な公知の高分子発光材料である、ポリフルオレン誘導体（ＰＦ）、ポリパラフェニレンビニレン誘導体（ＰＰＶ）、ポリフェニレン誘導体（ＰＰ）、ポリパラフェニレン誘導体（ＰＰＰ）、ポリビニルカルバゾール（ＰＶＫ）、ポリチオフェン誘導体、ポリジアルキルフルオレン（ＰＤＡＦ）、ポリフルオレンベンゾチアジアゾール（ＰＦＢＴ）、ポリアルキルチオフェン（ＰＡＴ）や、ポリメチルフェニルシラン（ＰＭＰＳ）等のポリシラン系などを好適に用いることができる。また、これらの発光材料に、ペリレン系色素、クマリン系色素、ローダミン系色素などの高分子系材料や、ルブレン、ペリレン、９，１０−ジフェニルアントラセン、テトラフェニルブタジエン、ナイルレッド、クマリン６、キナクリドン等の低分子材料をドープして用いることもできる。
【００２０】
正孔輸送層１２は、陽極１１から発光層１３への電荷の注入効率を高めるとともに、発光層１３内を移動する電子をブロッキングする機能を奏し、発光層内での電子と正孔との再結合確率を高める作用を奏する。この正孔輸送層１２には、陽極１１からの注入障壁が低く、正孔移動度の高い材料が好適に用いられる。このような材料としては、例えばポリチオフェン誘導体、ポリピロール誘導体など、またはそれらのドーピング体などが用いられる。具体的には、３，４−ポリエチレンジオキシチオフェン／ポリスチレンスルフォン酸（ＰＥＤＯＴ／ＰＳＳ）［商品名；バイトロン−ｐ（Bytron-p）：バイエル社製］の分散液、すなわち、分散媒としてのポリスチレンスルフォン酸に３，４−ポリエチレンジオキシチオフェンを分散させ、さらにこれを水に分散させた分散液などが用いられる。
なお、必要に応じて、陰極２１から発光層１３への電子注入効率を高めるとともに、正孔ブロッキング機能を有する電子輸送層１４を形成してもよい。この電子輸送層１４は、オキサジアゾール誘導体やＡｌｑ３などの有機材料で形成することが可能である。
【００２１】
上記構成を備えた本実施形態の有機ＥＬ装置１００は、陽極１１と陰極２１との間に所定の電圧を印加することで、有機機能層１５に流れる電流量に応じて発光層１３において光が発生する。そして、発生した光を陽極１１から直接的に、また陰極２１で反射された光を間接的に、ガラス基板１０側から取り出すようになっている。
なお、発光層１３の材料を適当に選択することにより、発光層１３を異なる色光に発光させることができる。そこで、本実施形態の有機ＥＬ装置１００は、ＲＧＢ三原色のいずれかに発光する複数の有機ＥＬ素子１１０をマトリクス状に整列配置した構成となっている。
【００２２】
（円偏光板）
図１において、ガラス基板１０の光出射面側には、円偏光板３０が配設されている。この円偏光板３０は、ガラス基板１０側に配置された位相差フィルム（位相差板）３１と、その外側に配置された偏光フィルム（偏光板）３２とによって構成されている。この偏光フィルム３２は、ガラス基板１０の外側（図１の下側）から有機ＥＬ装置１００に入射する外光のうち、透過軸方向の直線偏光のみを透過させるものである。なお偏光フィルム３２は、例えば、トリアセチルセルロース（ＴＡＣ）等からなる支持基板の表面に、ヨウ素錯体等を吸着させたポリビニルアルコール（ＰＶＡ）等のフィルムを装着し、これを所定方向に延伸してＰＶＡ高分子およびヨウ素錯体を配向させることにより形成される。
【００２３】
また、位相差フィルム３１は、進相軸方向の屈折率が遅相軸方向の屈折率より小さい、いわゆる複屈折性を有するものである。なお、位相差フィルム３１は、トリアセチルセルロース（ＴＡＣ）等からなる支持基板の表面にポリカーボネート等のフィルムを装着し、これを所定方向に延伸してポリカーボネート分子を配向させることにより形成される。
【００２４】
図２は、偏光フィルム３２および位相差フィルム３１の配置の説明図であって、図１の底面図である。図２に示すように、位相差フィルム３１の遅相軸３１ａは、偏光フィルム３２の透過軸３２ａと４５度をなすように配置されている。これにより、偏光フィルム３２を透過した直線偏光が、楕円偏光に変換されるようになっている。さらに、位相差フィルム３１の厚さは、位相差フィルム３１への入射光の波長をλとして、位相差フィルム３１のリタデーションが約λ／４となるように設定されている。すなわち、位相差フィルム３１として、いわゆるλ／４板が採用されている。そして、上述した偏光フィルム３２と、λ／４板である位相差フィルム３１とによって、入射光を円偏光に変換する円偏光板３０が構成されている。なお、λ／４板およびλ／２板を組み合わせた位相差フィルムにより、円偏光板を構成することも可能である。
【００２５】
そして、図１に示すガラス基板１０の外側（図１の下側）から有機ＥＬ装置１００に入射した光は、偏光フィルム３２により例えば紙面に垂直な直線偏光に変換される。この直線偏光は、位相差フィルム３１により例えば左回りの円偏光に変換され、ガラス基板１０を透過して有機ＥＬ素子１１０に入射する。この左回りの円偏光は、金属電極である陰極２１で反射される際に、進行方向に対して回転方向が反転し、右回りの円偏光になる。この右回りの円偏光が、位相差フィルム３１を再透過すると、紙面と平行な直線偏光に変換される。この直線偏光は、紙面と垂直な透過軸を有する偏光フィルム３２によって吸収される。このように、本実施形態の有機ＥＬ装置１００では、太陽光などの外光がパネルに入射する環境にて使用した場合にも、光反射性の陰極２１で反射された外光を偏光フィルム３２で吸収し、観察者に到達させないようになっている。
【００２６】
図３は、有機ＥＬ装置１００に太陽光を照射したときに、その有機ＥＬ装置１００の黒表示部で生じた発光のスペクトル特性を示す図である。ここで、黒表示部とは、有機ＥＬ装置１００における表示領域において、赤画素、緑画素および青画素に係る各発光層１３の全てが発光していない部位である。また、図３において、横軸は波長を示し、縦軸は発光強度を示している。図３に示すように、黒表示部での発光は赤味を帯びていることがわかる。これは、外光によって発光層１３が光励起されて発光したためである。
【００２７】
図４は、発光層１３の吸光度のスペクトル特性を示す図である。図４において、横軸は波長を示し、縦軸は吸光度を示している。図４に示すように、発光層１３は、可視光の波長域（３６０ｎｍ〜７８０ｎｍ）における３６０ｎｍ〜５００ｎｍ位（青色）ついても吸光作用がある。この青色によって、発光層１３が図３に示すよう赤色に発光している。この発光は、発光層１３におけるホトルミネッセンス（ＰＬ）効果によるものであり、電極を介して発光層１３に電流を供給することによって発光させるエレクトロルミネッセンス（ＥＬ）効果とは異なる効果によるものである。
【００２８】
図５は、円偏光板３０の透過スペクトル特性を示す図である。図５において、横軸は波長を示し、縦軸は透過率を示している。このように、円偏光板３０は、約４００ｎｍ以下の波長の光を透過させず、紫外線カット機能を有している。
【００２９】
しかしながら、図４に示すように、発光層１３は４００ｎｍ以上の可視光の青色についても吸光作用があるので、上記ＰＬ効果により、赤色の発光をしてしまっている。この赤色は、黒表示部で生じているものであり、本来の表示色である黒とは異質な印象を与える色であって、表示品質を阻害するものである。
【００３０】
そこで、本実施形態では、円偏光板３０の反射分光特性を発光層１３が外光によって発光したときのその発光の分光特性に基づいて設定している。すなわち、発光層１３が外光によって発光する赤色発光（着色）を緩和又は打ち消すために、円偏光板３０がその赤色に対して補色の関係となる色度（青色）の反射分光特性を持つこととしている。さらに換言すれば、本実施形態の円偏光板３０は、上記のように有機ＥＬ装置１００の内部での反射光を有機ＥＬ装置１００の外に出さない機能のみならず、太陽光などの照射に対して青色光を反射する機能を有する。
【００３１】
図６は、円偏光板３０の反射分光スペクトルを示す図である。図６において、横軸は波長を示し、縦軸は反射強度を示している。円偏光板３０の反射色度（ｘ，ｙ）は、（０．１６１５，０．１４７７）であり、いわゆる青色である。なお、図６に示す円偏光板３０の反射分光スペクトルは、本実施形態の一例であり、少なくとも青味があればよい。
【００３２】
これらにより、本実施形態の有機ＥＬ装置１００によれば、外光による発光層１３の発光色と円偏光板３０の反射光の色とが補色関係にあるので、外光が存在する通常の環境下で使用された場合、外光による着色のないカラーバランスがとれた高画質の表示をすることができる。
【００３３】
このような補色関係の反射をする円偏光板３０は、例えば次の偏光フィルム３２と位相差フィルム３１で構成することができる。偏光フィルム３２としては、日東電工製のＳＥＧ１４２５Ｄｕを採用することが可能である。そして、この偏光フィルム３２の吸収軸３１ａと４５度の角度をなすように、ポリカーボネートからなる位相差フィルム３１を配置することで、上記補色関係の反射をする円偏光板３０が実現できる。ポリカーボネートは４５０ｎｍと５９０ｎｍの透過光について位相差の比（Ｒ４５０／Ｒ５９０）である波長分散が１．０９であり、５９０ｎｍの透過光のとき位相差がＲ５９０＝１６５ｎｍである。また、本実施形態では、円偏光板３０を構成するのに１枚の位相差フィルム３１を用いたが、複数枚の位相差フィルム３１を用いて円偏光板３０を構成してもよい。
【００３４】
また、本実施形態において、外光による有機ＥＬ装置１００の発光スペクトルのピーク波長（λＢ）は、図３に示すように約６５０ｎｍである。一方、円偏光板３０の反射スペクトルのピーク波長（λＡ）は、図６に示すように約４３５ｎｍである。これらは、概して、λＡ＝（５５０×２−λＢ）の関係にある。このようにすれば、外光における特に太陽光による非駆動時の有機ＥＬ装置の色付きを緩和することができる。なお、上記λＡとλＢの関係は、厳密に上記数式が成立していることを要するものではなく、例えばλＡ又はλＢの値について±５０［ｎｍ］の範囲で本実施形態の効果を発揮することができる。
【００３５】
（第２実施形態）
図７は、本発明の第２実施形態に係る有機ＥＬ装置の模式断面図である。図７において図１の構成要素と同一のものには同一符号を付けている。本実施形態の有機ＥＬ装置２００は、ＲＧＢの各ドットを複数有する。Ｒドットは赤を発光する発光層１３Ｒの部位である。Ｇドットは緑を発光する発光層１３Ｇの部位である。Ｂドットは青を発光する発光層１３Ｂの部位である。
【００３６】
図８は、有機ＥＬ装置２００に太陽光を照射したときに、その有機ＥＬ装置２００の黒表示部で生じた発光のスペクトル特性を示す図である。図８において、横軸は波長を示し縦軸は発光強度を示している。図８に示すように、黒表示部での発光は赤味を帯びていることがわかる。これは、外光によって、Ｒ（赤）ドットの発光層１３Ｒが光励起されて発光したためである。
【００３７】
図９は、各発光層１３Ｒ，１３Ｇ，１３Ｂの吸光度のスペクトル特性を示す図である。図９において、横軸は波長を示し、縦軸は吸光度を示している。そして、曲線Ｒが発光層１３Ｒの吸光度スペクトル特性であり、曲線Ｇが発光層１３Ｇの吸光度スペクトル特性であり、曲線Ｂが発光層１３Ｂの吸光度スペクトル特性である。赤ドットの発光層１３Ｒは可視光域波長の光（青）についても吸光することがわかる。この発光層１３Ｒの吸光により、上記ＰＬ効果が生じ、発光層１３Ｒで赤の発光が生じる。
【００３８】
有機ＥＬ装置２００の構成要素である円偏光板３０は、第１実施形態で説明したように紫外線カット機能を有し、４００ｎｍ以下の光の外光をカットする。しかし、発光層１３Ｒは図９に示すように４００ｎｍ以上の光についても吸光特性があるので、発光層１３Ｒは外光によって発光してしまう。
【００３９】
そこで、本実施形態では、円偏光板３０の反射分光特性を発光層１３Ｒが外光によって発光したときのその発光の分光特性に基づいて設定している。すなわち、発光層１３Ｒが外光によって発光する赤色発光を緩和又は打ち消すために、円偏光板３０がその赤色に対して補色の関係となる色度（青色）の反射分光特性を持つこととしている。
【００４０】
図１０は、円偏光板３０の反射分光スペクトルである。図１０において、横軸は波長を示し、縦軸は反射強度を示している。円偏光板３０の反射色度（ｘ，ｙ）は、（０．１６１５，０．１４７７）であり、いわゆる青色である。なお、図１０に示す円偏光板３０の反射分光スペクトルは、本実施形態の一例であり、少なくとも青味があればよい。円偏光板３０の具体的な構成および材料は、第１実施形態の円偏光板３０のものと同一にすることができる。
【００４１】
これらにより、本実施形態の有機ＥＬ装置２００によれば、外光による発光層１３Ｒの発光色と円偏光板３０の反射光の色とが補色関係にあるので、外光が存在する通常の環境下で使用された場合、外光による着色のないカラーバランスがとれた高画質の表示をすることができる。一方、従来の有機ＥＬ表示装置は、円偏光板によって、有機ＥＬ装置の内部での「反射光」をほぼ完全に吸収することはできるが、外光で発光層が励起されたことによって生じる「発光」について吸収することはできない。ここで、特定色の発光層（例えば赤）のみが発光すると、有機ＥＬ装置の非駆動部位の表示領域が着色してしまう。しかし、本実施形態の有機ＥＬ装置２００は、外光による発光色を円偏光板３０の反射色で緩和させることができる。そこで、本実施形態の有機ＥＬ装置２００は、従来の有機ＥＬ装置よりも、カラーバランスがとれた高画質の表示をすることができる。
【００４２】
（電子機器）
図１１は、上記各実施形態の有機ＥＬ装置１００，２００を備えた電子機器の一例を示す斜視構成図である。同図に示す携帯電話機１３００は、複数の操作ボタン１３０２と、受話口１３０３と、送話口１３０４と、先の実施形態の有機ＥＬ装置１００，２００からなる表示部１３０１とを備えて構成されている。そして、この携帯電話機１３００によれば、野外などで使用されても、表示部に備えられた有機ＥＬ装置１００，２００による高画質表示が可能になっている。
【００４３】
また、本発明における有機ＥＬ装置を備えた電子機器としては、上記のものに限らず、他に例えば、デジタルカメラ、パーソナルコンピュータ、テレビ、携帯用テレビ、ビューファインダ型・モニタ直視型のビデオテープレコーダ、ＰＤＡ、携帯用ゲーム機、ページャ、電子手帳、電卓、時計、ワードプロセッサ、ワークステーション、テレビ電話、ＰＯＳ端末、タッチパネルを備えた機器などを挙げることができる。また、本発明における有機ＥＬ装置を備えた電子機器として、車載用オーディオ機器や自動車用計器、カーナビゲーション装置等の車載用ディスプレイを挙げることもできる。
【００４４】
なお、本発明の技術範囲は上記実施形態に限定されるものではなく、本発明の趣旨を逸脱しない範囲において種々の変更を加えることが可能であり、実施形態で挙げた具体的な回路構成などはほんの一例に過ぎず、適宜変更が可能である。
【００４５】
例えば、上記実施形態では、ボトムエミッション方式の有機ＥＬ装置を例にして説明したが、本発明をトップエミッション方式の有機ＥＬ装置に適用することも可能である。トップエミッション方式の有機ＥＬ装置では、陽極がＡｌ等の金属材料で構成され、陰極がＩＴＯ等の透明導電性材料で構成される。そして、発光層からの光を陽極で反射するとともに陰極から出射する構成となっている。そこで、有機ＥＬ素子の全体を密閉封止する封止基板の外側に円偏光板を配置して、その円偏光板を本実施形態と同様に構成すればよい。
また、本発明は、円偏光板を表示面側に配置する全ての有機ＥＬ装置に適用することができる。
【図面の簡単な説明】
【００４６】
【図１】第１実施形態に係る有機ＥＬ装置の断面構成図である。
【図２】偏光フィルムおよび位相差フィルムの配置の説明図である。
【図３】外光により有機ＥＬ装置で生じた発光のスペクトル特性を示す図である。
【図４】発光層の吸光度のスペクトル特性を示す図である。
【図５】円偏光板の透過スペクトル特性を示す図である。
【図６】円偏光板の反射分光スペクトルを示す図である。
【図７】第２実施形態に係る有機ＥＬ装置の模式断面図である。
【図８】外光により有機ＥＬ装置で生じた発光のスペクトル特性を示す図である。
【図９】ＲＧＢの各発光層の吸光度スペクトル特性を示す図である。
【図１０】円偏光板の反射分光スペクトルを示す図である。
【図１１】実施形態に係る電子機器の一例の斜視図である。
【符号の説明】
【００４７】
１０…ガラス基板、１１…陽極、１２…正孔輸送層、１３，１３Ｂ，１３Ｇ，１３Ｒ…発光層、１４…電子輸送層、１５…有機機能層、２１…陰極、３０…円偏光板、３１…位相差フィルム（位相差板）、３２…偏光フィルム（偏光板）、１００，２００…有機ＥＬ装置、１１０…有機ＥＬ素子
【図１】
2006294448.tif 000003
【図２】
2006294448.tif 000004
【図３】
2006294448.tif 000005
【図４】
2006294448.tif 000006
【図５】
2006294448.tif 000007
【図６】
2006294448.tif 000008
【図７】
2006294448.tif 000009
【図８】
2006294448.tif 000010
【図９】
2006294448.tif 000011
【図１０】
2006294448.tif 000012
【図１１】
2006294448.tif 000013